(57)【要約】【課題】簡単な構成で、電源系に重畳した正方向及び負方向のインパルス性ノイズを検出し、その検出結果を表示し履歴を保持することができる電源ノイズ検出表示装置に関する。【解決手段】被検出用電源ラインに接続されて、該被検出用電源ラインからインパルス性ノイズが印可されるとガスチューブアレスタから直流低電力を出力するノイズ検知部と、上記直流低電圧を充電するセット用コンデンサを有し、ＰＵＴにより設定電圧に達したら前記セット用コンデンサから表示部に電流を流す表示駆動部と、リセットスイッチの投入により、前記表示器の電磁石の極性を逆転して表示ディスクを反転・復帰させるリセット部とからなることを特徴とする。【選択図】　図１
2004147419.tif 000002
【特許請求の範囲】
【請求項１】
被検出用電源ラインに接続されて、該被検出用電源ラインからインパルス性ノイズが印可されるとガスチューブアレスタから直流低電力を出力するノイズ検知部と、
上記直流低電圧を充電するセット用コンデンサを有し、プログラマブルユニジャンクショントランジスタにより設定電圧に達したら一気に前記セット用コンデンサから放電する表示駆動部と、
前記セット用コンデンサから放電された電圧を充電するリセット用コンデンサを有し、リセットスイッチの投入により放電して、前記表示器の電磁石の極性を元の極性に戻し表示ディスクの反転を復帰させるリセット部と、
２極を有しセット用コンデンサまたはリセット用コンデンサから給電されると磁化されて極性を変える固定子と、固定子に対向して回転可能に支持された表示面を有する永久磁石の回転子とからなる表示部と、を有してなることを特徴とする電源ノイズ検出表示装置。
【請求項２】
表示部が、２極を有するステーターピンと、セット用コンデンサおよびリセット用コンデンサと接続されると共に、前記ステーターピンを磁化して極性を変化させるセットおよびリセット用のコイルと、前記ステーターピンに対向して回転自在に支持された永久磁石の表示ディスクとからなっており、セット用コンデンサから給電があると前記セット用コイルに順方向の電流を流してステーターピンを磁化してディスクを回転させて一方の面を表示し、前記リセット用コンデンサから放電があると前記コイルに逆方向の電流を流してステーターピンの磁極を逆転させてディスクを逆転して他方の面を表示してなることを特徴とする電源ノイズ検出表示装置。
【発明の詳細な説明】
【０００１】
【発明の属する技術分野】
この発明は、電源ラインに印加されて、その電源を使用する機器を誤動作に至らせるインパルス性ノイズを検出し、表示する電源ノイズ検出表示装置に関する。
【０００２】
【従来の技術】
商用電源ライン（ＡＣ１００Ｖ、ＡＣ２００Ｖ）等には、図４に示すように、しばしば高圧の電圧（１ｎＳ〜１μＳ、±１０００Ｖ〜２０００Ｖ程度）のインパルスノイズが重畳して、その電源を使用する機器が誤動作を起こす場合がある。
そこで、そのインパルスノイズを検出する装置として、例えば特開平９−０５４６２０号公報に記載の「電源監視回路」や特開平４−１１５６３４号公報に記載の「電源ノイズ検出回路」、特許第２７１３８９０号公報に記載の「半導体集積回路」などが知られているが、高い周波数の電源変動が検出できなかったり、電源系に重畳した正方向及び負方向のインパルス性ノイズが検出できないなどの欠点があったり、回路構成が複雑になるという問題点があった。
そこで、これらの欠点を解消するために、電源ラインに印加されたインパルス性ノイズを検知するノイズ検知部と、該ノイズ検知部の検知出力を保持する出力保持部とを備え、前記ノイズ検知部にはインパルス性ノイズを含む電源電圧を緩やかに変動させる時定数回路を設けて、前記インパルス性ノイズの波高値が設定値を超えた後減少する際に、前記時定数回路を流れる電流の方向を逆転させて、前記出力保持部からのノイズ出力を前記インパルス性ノイズの消滅後も維持させるようにした構成も知られている（特許文献１）。
しかしながら、上記構成では、抵抗分圧で電力を確保する構成からなっているので、表示器を駆動する為の電力を確保するには、検出回路の電流を大きくする必要があり、現実的ではない。また、ノイズの無い時にも検出回路に電流が流れて消費するという問題点があった。
そして、上記従来の構成では、いずれも簡単な構成でノイズの検出を外部表示することができず、また表示した検出結果や履歴をそのまま保持することもできなかったので、電源ラインにインパルス性ノイズが発生したか否かを簡便に行うことができないという問題点があった。
【０００３】
【特許文献１】
特願２００１−２４８６２号（図１）
【０００４】
【発明が解決しようとする課題】
この発明は上記問題点を解決するために創案されたものであって、その主たる課題は、簡単な構成でありながら、商用電源ラインにインパルス性ノイズが発生したか否かの検出を行い、且つその検出結果を表示して履歴を保持することができる電源ノイズ検出表示装置を提供することにある。
また、この発明の別の課題は、上記ノイズの検知部にガスチューブアレスタを用い、ノイズが生じたときにはその放電開始電圧特性を利用して表示部を駆動させ、ノイズが生じないときには電流が流れない（消費しない）ようにしたので、測定ラインに影響を与えることがないようにしたことにある。
【０００５】
【課題を解決するための手段】
前記課題達成のために、請求項１の発明では、
被検出用電源ラインに接続されて、該被検出用電源ラインからインパルス性ノイズが印可されるとガスチューブアレスタから直流低電力を出力するノイズ検知部と、上記直流低電圧を充電するセット用コンデンサを有し、プログラマブルユニジャンクショントランジスタにより設定電圧に達したら一気に前記セット用コンデンサから放電する表示駆動部と、前記セット用コンデンサから放電された電圧を充電するリセット用コンデンサを有し、リセットスイッチの投入により放電して、前記表示器の電磁石の極性を元の極性に戻し表示ディスクの反転を復帰させるリセット部と、２極を有しセット用コンデンサまたはリセット用コンデンサから給電されると磁化されて極性を変える固定子と、固定子に対向して回転可能に支持された表示面を有する永久磁石の回転子とからなる表示部とを設けてなる、という技術的手段を講じている。
また、請求項２の発明では、
前記表示部が、２極を有するステーターピンと、セット用コンデンサおよびリセット用コンデンサと接続されると共に、前記ステーターピンを磁化して極性を変化させるセットおよびリセット用のコイルと、前記ステーターピンに対向して回転自在に支持された永久磁石の表示ディスクとからなっており、
セット用コンデンサから給電があると前記セット用コイルに順方向の電流を流してステーターピンを磁化してディスクを回転させて一方の面を表示し、前記リセット用コンデンサから放電があると前記コイルに逆方向の電流を流してステーターピンの磁極を逆転させてディスクを逆転して他方の面を表示してなる、という技術的手段を講じている。
【０００６】
【発明の実施の形態】
以下に、この発明の電源ノイズ検出表示装置の好適実施例について、図面を参照しながら説明する。
電源ノイズ検出表示装置１は、図１の回路図に示すように被検出用の商用電源ラインに接続されるノイズ検知部２と、ノイズを検知したことを表示する表示部１０を駆動するための表示駆動部３と、前記表示部１０のノイズ検出表示をリセットするためのリセット部４とを有する回路構成からなっている。
この電源ノイズ検出表示装置１は、図３に一例を示すように、ケーシング１ａの正面に表示部１０からなる表示器を有し、後述の表示部１０のディスク１４をマニュアル操作するテストスイッチＳ１と、リセットスイッチＳ２とを設けた構成からなっている。
【０００７】
そして、ノイズ検知部２は、被検出用の商用電源ラインに接続する接続端子Ｔ１、Ｔ２を有しており、上記電源ラインからインパルス性ノイズが印可されるとガスチューブアレスタ２４に入力する構成からなっている。
即ち、一方の端子Ｔ１側には抵抗２１とコンデンサ２２を並列に接続した微分回路２３が設けられており、ガスチューブアレスタ２４の入力側に接続されている。この微分回路２３は、ガスチューブアレスタ２４の放電開始後の続流を抑制するために用いられる。
【０００８】
また、定電圧ダイオード２５と、抵抗２６とコンデンサ２７とが、前記ガスチューブアレスタ２４の出力側に並列に接続されている。
ここでノイズの検出にガスチューブアレスタ２４を用いるのは、その特性上、直流放電開始電圧がある程度確定しているために、この放電開始電圧特性を利用し、その放電電流の一部を利用して表示部１０を駆動するために必要な直流低電力を出力し、後述の表示駆動用の第１（電解）コンデンサ３０に充電するようになっている。
【０００９】
次ぎに、表示駆動部３は、前記ノイズ検知部２のガスチューブアレスタ２４から出力された直流低電力を蓄積する前記セット用コンデンサ３０に、このセット用コンデンサ３０が設定電圧に達するとセット用コンデンサ３０から放電させるためのプログラマブルユニジャンクショントランジスタ（ＰＵＴ）３１が接続されている。
ここで、回路中、３２、３３は抵抗であり、３４と３５、３６と３７は２つづつ並んで相互にブリッジ接続された整流用のダイオードである。
【００１０】
表示部１０は、Ｎ、Ｓの２極を有し、セット用コンデンサ３０またはリセット用コンデンサ４０から給電されると磁化されて極性を変える固定子と、固定子に対向して回転可能に支持された表示面を有する永久磁石の回転子とからなっている（特開昭５８−１２５０８８号参照）。
【００１１】
本実施例の場合、図２に示すように、表示部１０は、２極を有するステーターピン１１と、セット用コンデンサ３０およびリセット用コンデンサ４０と接続されると共に、前記ステーターピン１１を磁化して前記極性を変化させるセットおよびリセット用のコイル１２と、前記ステーターピン１１に対向して回転軸１３により回転自在に支持された永久磁石の表示ディスク１４とからなっている。
この表示ディスク１４は、一面に検出表示（実施例では赤色）を施し、他面に検出待機表示（黒色）を施した表示ディスク１４とからなっている。
【００１２】
なお、Ｔａ−Ｔｃは、前記セット用コンデンサ３０から、ディスク１４を検出表示面に回転させるためにコイル１２にａ方向の電流を流すためのラインであり、Ｔｂ−Ｔｃは、前記リセット用コンデンサ４０から、ディスク１４を検出待機面に回転させるためにコイル１２にｂ方向の電流を流すためのラインである。
【００１３】
そして、図２（ａ）に示すように、セット用コンデンサ３０を介してＰＵＴ３１から電流ｉ２が流れ、前記コイル１２にａ方向の電流を通してステーターピン１１を磁化して、ディスク１４を回転させて検出表示面を表示させる。
また、図２（ｂ）に示すように、前記リセット用コンデンサ４０から放電があると、前記コイル１４に逆のｂ方向の電流を流してステーターピン１１の磁極を逆転させて、ディスク１４を逆転し検出待機面を表示させるようになっている。なお、回路中１５、１６はセット側接点Ｔａおよびリセット側接点Ｔｂとコイル１２との間に介設された抵抗である。
【００１４】
上記構成からなるので、前記ディスク１４は、一旦反転すると、リセット側にコイル１２が励磁されない限り、ディスク１４は元の姿勢に戻らない。
そのためノイズを受けて検出表示面に反転したディスク１４は、測定ラインから切り離しても変化することがないので、ノイズの履歴を保持することができる。
【００１５】
次ぎに、前記コイル１２にリセット用の励磁を行う表示リセット部４は、リセットボタン４１と、リセット用の電力を蓄積するリセット用コンデンサ４０と、定電圧ダイオード４２と、抵抗４３を有しており、また、２つづつ並んで相互にブリッジ接続された整流用の４つのダイオード４４と４５、４６と４７とから構成されており、抵抗分圧で前記表示部１０を駆動するための電力を確保している。
【００１６】
そして、リセットボタン４１の投入で、リセット用コンデンサ４０からコイル１２に逆方向の電流を供給して、ステーターピン１１の極性を変えて、ディスク１４を復帰方向に反転させ、待機表示面にすることができる。
この発明は前記実施例に限定されるものではなく、その要旨を変更しない範囲で適宜設計変更しうること勿論である。
【００１７】
【発明の効果】
以上のように、この発明によれば、次のような優れた効果を奏することができる。
１．検出回路及び表示器を動作させるための特別な電源は不要である。
２．ノイズを検出した後の表示は、そのまま保持することができ、電源は不要である。
３．検出レベルは、ガスチューブアレスタの放電開始電圧に依存する。
４．ガスチューブアレスタの入力側に微分回路を付加することにより、ガスチューブアレスタの放電開始後の続流を抑制することができる。
５．表示器を動作させる電力はガスチューブアレスタの放電電流の一部を利用することができる。
６．簡単な構成で廉価に提供できるので、特に電力会社の変電設備等で、電力の質を向上させるためインパルス性ノイズの対策を講じる場合にノイズの発生数の多い系統に対応することができ有益である。
【図面の簡単な説明】
【図１】この発明の電源ノイズ検出表示装置の実施例を示す回路図である。
【図２】表示部の原理を説明する図であって（ａ）はノイズ検出表示時、（ｂ）はリセット時である。
【図３】電源ノイズ検出表示装置の正面図である。
【図４】商用電源ラインに生ずるインパルスノイズを示す図である。
【符号の説明】
１　　　電源ノイズ検出表示装置
２　　　ノイズ検知部
３　　　表示駆動部
４　　　リセット部
１０　　　表示部
１１　　　ステーターピン
１２　　　コイル
１４　　　表示ディスク
２３　　　　微分回路
２４　　　ガスチューブアレスタ
３０　　　セット用コンデンサ
３１　　　プログラマブルユニジャンクショントランジスタ
４０　　　リセット用コンデンサ
４１　　　リセットボタン
Ｔ１、Ｔ２　接続端子
【図１】
2004147419.tif 000003
【図２】
2004147419.tif 000004
【図３】
2004147419.tif 000005
【図４】
2004147419.tif 000006